(57)【要約】【課題】任意の角度で確実に保持できるポスト印象用補強ピンである。【解決手段】ポスト印象用補強ピンを形成する保持部（１）に任意の角度に応じたガイド（２）を設けて本体部（４）の軸線との関係を明確にすることが出来て、視認しにくい印象下の根管内の印象を迅速に確実に効率的に行える、ポスト印象用補強ピンである。【選択図】    図１
2005013694.tif 000002
【特許請求の範囲】
【請求項１】
ポスト印象用補強ピンの構成要素が、本体部（４）の軸線関係を任意の角度に設定する凹部の溝を形成するガイド（２）（５）を少なくとも一本以上設けた保持部（１）と、本体部（４）と、からなるポスト印象用補強ピン。
【請求項２】
ポスト印象用補強ピンの保持部（１）に本体部（４）の軸線上の１８０度の延長上に凹部の溝を形成するガイド（２）と、本体部（４）の軸線上に９０度に交わるガイド（５）を凹部の溝を設けたことを特徴とするポスト印象用補強ピン。
【請求項３】
本体部（４）の材質が金属線にナイロン繊維を植毛した材質であることを特徴とする請求項１、請求項２記載のポスト印象用補強ピン。
【請求項４】
一本の連続する金属線にナイロン繊維を植立したワイヤーが、保持部（３７）の上端で本体部（３０）との軸線の延長上に９０度で交わるガイドライン９０度（３２）を形成し、本体部（３０）の延長上にガイドライン１８０度（３１）を設け、逆三角形を形成する保持部（３７）の一部と頂点部分が根管口部（３３）より根尖部（３５）方向に位置することを特徴とするポスト印象用補強ピン。
【発明の詳細な説明】
【０００１】
【発明に属する技術分野】
本発明は、歯科領域におけるポスト印象用補強ピンに関する。
【０００２】
【従来の技術】
従来から、ポスト印象用補強ピンは１本の金属ワイヤーにナイロン繊維などを植立し、必要な任意の長さに切断して、一方の先端を９０度に折り曲げ使用するか、予め任意の長さに切断してその一方の先端をリング状に形成加工されたものが使用されている。
【０００３】
【発明が解決しようとする課題】
第一に、従来からのポスト印象用補強ピンは、一方の先端の形態はただ単に印象用トレイに盛られた印象材本体からの脱落を防ぐことを目的としていた。そのため従来からのポスト印象用補強ピンを使用する時、ピンセットの先端でポスト印象用補強ピンをまず第一にワイヤーで形成された不安定な部分を安定した状態で保持し、ポスト印象用補強ピンがどのような状態かを目で見てその角度や方向を目で確かめてからその都度必要に応じて細かな修正をしながら印象材で満たされた直視しにくい不明確な部分へポスト印象用補強ピンを挿入し植立させなければならなかった。
又、複数歯の印象を行う時には、印象材の硬化時間は短く、短時間の間に歯軸の異なる歯牙などを印象する時には、今までは、保持したポスト印象用補強ピンの角度や方向を確認しながら、その都度１本ずつ修正し印象材の下にある直接目で見えない歯根の歯軸を考えて挿入し植立しなければならないという複雑な操作が必要だった。
第二に、従来からのポスト印象用補強ピンは、印象をする根管内に根管外の印象用トレイ内の印象材の本体からの脱離を防ぐためのポスト印象用補強ピンの保持部から伸びる太さの均一のワイヤーにナイロン繊維などを植立した一本の細い状態による強度に起因する不安定さと、保持部と根管内部の歯根先までの距離の長さに起因するブレによる不安定さと、印象材とポスト印象用補強ピンが根管内でポスト印象用補強ピンを中心にしてその周囲を印象材が位置することが理想とされているが、印象用トレイに盛られた印象材本体が印象面に加圧された時、ポスト印象用補強ピンの保持部が圧力により歯軸に対して傾斜する不安定さがあった。
そのため印象材が硬化して取り外した時、根管内の印象材がポスト印象用補強ピンの作用により千切れないとしても印象材自体に亀裂が入り正確な印象をするのに問題点があった。
第三に、根管内根尖側の印象材は十分に満たしにくく、根尖側に気泡が出来たり、根尖側にアンダーカットがあった時には印象材硬化時に取り外す際印象材の千切れを生じていた。
【０００４】
従って、本発明は、短時間で硬化する印象採得時に、まず第一にピンセットの先端が安定した状態で保持出来ること、さらにピンセットの先端部分が任意の角度でポスト印象用補強ピンを迅速に確実に保持して、印象材で満たされて視認できない印象面及び異なる方向の根管内の印象採得をピンセットの先端部分を見ているだけで印象の内部を進むポスト印象用補強ピンの方向を的確に知ることが出来、印象操作が簡単に確実に出来る治療の効率化の向上を目的としている。
第二にポスト印象用補強ピン自体が根管口部分でストッパーの機能を設けて、さらに根管内部分での強度を増し、ずれを最小限に押さえることを目的としている。
第三に、根管内根尖部に十分に印象材を誘導して、根管内根尖側での安定した位置を確保して、印象材硬化時に多少のアンダーカットがあっても上方へ安定して持ち上げる機能を目的としている。
【０００５】
【課題を解決するための手段】
本発明は、第一の目的のためにポスト印象用補強ピンの保持部に本体部との軸線との角度を明確化するガイドを設けた。このことによってピンセットで保持部をつまみ上げた時、そのガイドが本体部の軸線の延長上にある時には、ピンセットの先端とポスト印象用補強ピンの本体部との軸線とが一致する構成として不明確な印象下の根管への挿入と印象が迅速に可能となる。基本的には保持部のガイドは凹凸の凹部によりピンセット先端を誘導するが、本体部の軸線との関係を色彩による色分けやラインによってもさらに材質そのものでも明確に軸線との関係を明確になるように角度が付与されている。
第二の目的のために、ポスト印象用補強ピンの保持部と本体部との中間部分に頸部を設け、印象用トレイに盛られた印象材に加圧されても根管口部で安定した位置を確保可能にすることで、さらに本体部に加圧による変形や歪みの発生を防止し、根管内での印象材の千切れをなくすために補強の効果が得られる構成としてある。
第三の目的のために、根尖側根管内の印象面に気泡を生じさせないために印象材を根尖側に押し込むためと、根尖側でのポスト印象用ポストピンの安定した位置を確保するためと、印象材硬化時アンダーカットが多少あっても印象材の千切れ防止のためにポスト印象用補強ピンの本体部に安定装置を設けた。
【０００６】
【発明の実施の形態】
本発明をより詳細に説述するために、添付の図面に従ってこれを説明する。
第１図は、保持部（１）に凹部に形成された溝を設けたガイド（２）が本体部（４）の軸線に対し延長線上の１８０度、軸線に対し直角の９０度など任意の角度に形成される。これによりピンセットで保持した時に、軸線との関係を明確にできる。
このポスト印象用補強ピンの保持部（１）の材質は合成樹脂、紙、シリコンゴム、シリコン、ゴム、形状記憶樹脂、形状記憶金属等どのような材質でも構わない。そして、任意の長さに応じた、色分け、及び任意の角度に応じたガイド（２）の色分けも行う。
本体部（４）は、金属ワイヤーにナイロン繊維を植毛したものや、合成樹脂、金属、紙、シリコン、形状記憶樹脂、形状記憶金属など印象材との接着が良好で変形を生じないものであればどのような材質でもかまわない。
第２図は、第一図のポスト印象用補強ピンの側面図である。本体部（４））の軸線より９０度のガイドにガイド９０度（５）が凹部により形成されピンセットの先端に明確な角度で保持できる構成となっている。
第３図は、ポスト印象用補強ピンの本体部（３０）の軸線の延長上にある１８０度すなわちガイドライン１８０度（３１）と本体部（３０）の軸線上に９０度で交わるガイドライン９０度（３２）を設け、Ｂ点とＣ点を結ぶ底辺としＡ点を頂点とする正三角形もしくは二等辺三角形の頂点を含む一部分が根管口部（３３）より根管内部（３４）に位置する。印象材の千切れは、多くは根管口部（３３）の位置で起きるのでそれを防ぐためにその地点で補強を行なっている。すなわち、スタビライザー上端部（３８）のＥ点すなわち、ＥＡ間・ＦＡ間・ＤＡ間が補強となっている。又、このＥ点と根管口部（４１）と、Ｄ点と根管口部（３３）とが接し、上下的・左右的な位置を確保している。
このポスト用補強ピンの形態は、金属線にナイロン繊維を植立したものを屈曲するものや、合成樹脂等を射出成形・プレス成形するものや、形状記憶金属・形状記憶樹脂などこの形態を作れるものであればどのような方法でも構わない。
【０００７】
【発明の効果】
本発明は、以上説明したように構成されているので、以下に記載されるような効果を奏する。
【０００８】
ポスト印象時、ポスト印象用補強ピンを的確に任意の角度で保持することが可能で、印象材の千切れや変形を防ぎ、円滑な治療を行なえる。
【図面の簡単な説明】
【図１】ポスト印象用補強ピンの正面図である。
【図２】ポスト印象用補強ピンの側面図である。
【図３】ポスト印象用補強ピンと歯牙との関係図である。
【符号の説明】
１．保持部
２．ガイド１８０度
３．凹部
４．本体部
５．ガイド９０度
３０．本体部
３１．ガイドライン１８０度
３２．ガイドライン９０度
３３．根管口部
３４．根管内部
３５．根尖部
３６．本体部根尖側部
３７．保持部
３８．スタビライザ上端部
３９．スタビライザ下端部
【図１】
2005013694.tif 000003
【図２】
2005013694.tif 000004
【図３】
2005013694.tif 000005